Podtech/llm-jp-corpus-v4-ja_patent huggingface dataset:
(57)【要約】【課題】骨壷の主を直ちに視認でき、且つ長期間に亘って文字が消えることのない骨壷用銘板を提供する。【解決手段】銘板と骨壷を載置、固定する台板より構成される。台板には骨壷を安定的に載置させ、更に固定部材により固定させる。銘板にはその表面に故人の俗名、戒名、命日及び享年等の文字を彫刻により記すと共に、必要に応じ、その故人の経歴、業績或いは特技等を彫刻により記す。【選択図】  図１
2004226466.tif 000002
【特許請求の範囲】
【請求項１】
台板とその端部に立設した板体を耐候性を有する材料で形成すると共に、該板体の表面に、故人の戒名欄、命日欄及び享年欄を設け、該欄の該当の文字を彫刻により夫々記す一方、その一部に必要に応じ、その故人の俗名欄、経歴、業績或いは特技等の所望事項を彫刻により記してなり、台板には骨壷を載置自在としたことを特徴とする銘板。
【請求項２】
台板には骨壷を固定自在としたことを特徴とする請求項１に記載の銘板。
【発明の詳細な説明】
【０００１】
【発明の属する技術分野】本発明は、銘板に関し、骨壷の主を表記し、且つ故人の記録を表示すると共に骨壷を設置できる銘板に関するものである。
【０００２】
【従来の技術】従来、地震等の災害で墓地が崩壊したりあるいは数年後の分骨や区画整理などで墓地を移動させる際、故人の判別が出来るように、納骨の際、骨壷に故人名を書いたり、或いは木板や金属板に故人名を書いて骨壷内に収納して埋葬しているのが一般的である。
【０００３】
【特許文献１】特願平１１−３７７０５４号公報
【特許文献２】特開２０００−２２６６４３号公報
【特許文献３】特開２００２−２２０９４６号公報
【０００４】
【発明が解決しようとする課題】しかしながら、墓内は湿気が多く且つ雨水等が浸入するため、それらの文字は数年乃至数十年で判別不能になるという問題がある。又、墓地内に於いても、収納した骨壷が雨水、災害等によって倒れたり、破損するケースがある。
【０００５】
【課題を解決するための手段】そこで本発明は、前記従来の問題点に鑑みて為されたものであって、骨壷を安定的に設置でき、地震等の災害にも倒れることを防ぎ、且つ骨壷の主を一見して直ちに視認でき、長期に亘っても、文字が消えることのない銘板提供することを目的とするものであって、台板とその端部に立設した板体を耐候性を有する材料で形成すると共に、該板体の表面に、故人の戒名欄、命日欄及び享年欄を設け、該欄の該当の文字を彫刻により夫々記す一方、その一部に必要に応じ、その故人の俗名欄、経歴、業績或いは特技等の所望事項を彫刻により記してなり、台板には骨壷を載置自在としたことを特徴とする。
【０００６】
【発明の実施の形態】以下、本発明の実施の形態を図面に従って詳細に説明する。
１は銘板であって、台板２の端部に立設させてある。該銘板１及び台板２は接着或いは折曲により立設形成させるが、接着が強度があり推奨される。銘板１は適宜な厚さを有する耐天候性を有する材質、例えばチタンその他の金属、或いは合金、合成樹脂、陶器、磁器、ガラス等が使用される。特に適性を有するのはアクリル樹脂である。
【０００７】
銘板１はアクリル樹脂製の板体によって位牌状その他所望形状に形成されている。該銘板１の大きさは、骨壷３の前面に於いて戒名等の記入するに足りる大きさであればよいが、小さすぎると書き込む文字数が限られるため、骨壷３の高さの半分以上より高く、全高よりやや低い程度がよい。然し、これに限るものではなく、適宜の大きさに形成できること勿論である。又、板厚は、文字の彫刻に耐える強度を有し、かつ嵩張らず取扱いに便利なように５ｍｍ程度とすることが好ましい。
尚、上記実施例では、銘板１を位牌状としたが、これに限るものではなく、楕円状、四角形状、長方形状等適宜に形成することが出来る。台板２は骨壷３の載置できる大きさに形成し、適宜の厚さを有する耐候性のある材質で前記銘板１と同じでも異なっていてもよい。
【０００８】
台板２上にはブチルゴム等の接着剤等の固定部材４を設置するのがよい。その際骨壷３の設置固定までは剥離紙５を置くことは推奨される。固定部材４としては接着剤の他に骨壷３の入る筒状体、所望の折立部等が設置できる。
使用に際して、銘板１に戒名欄６その他所望の欄に彫刻乃至記入して銘板１を完成した後、台板２の別紙剥離紙５を剥離し、接着剤４上に骨壷３を載置し、上から押圧して固定させる。
【０００９】
【実施例】以下、前記銘板１への文字の彫刻の一例について説明する。
銘板１の表面１１中央の戒名欄６に戒名を記入し、その左側の俗名欄７に俗名、右側の命日欄８に命日、享年欄９に享年を夫々記入する。戒名欄６の上に家紋或いは梵字１０、下に蓮花１２等を入れることは推奨される。又、銘板１の下部欄１３には、誕生年と没年を記入し、経歴、業績、特技、趣味等を所望により順次記載してゆく。このほか、詩、短歌、俳句或いは故人に送る言葉など遺族の要望に応えて適宜に記載することが出来る。
【００１０】
【発明の効果】以上述べたように本発明によれば、台板とその端部に立設した板体を耐候性を有する材料で形成すると共に、該板体の表面に、故人の戒名欄、命日欄及び享年欄を設け、該欄の該当の文字を彫刻により夫々記す一方、その一部に必要に応じ、その故人の俗名欄、経歴、業績或いは特技等の所望事項を彫刻により記してなり、台板には骨壷を載置自在としたので、骨壷は台上に載置或いは固定され、安定的に収められる。又、耐候性を有する材質で形成された板体の表面に、故人の俗名欄、戒名欄、命日欄及び享年欄を設け、該欄に文字を彫刻により夫々記すと共に、その故人の経歴、業績或いは特技等を彫刻により記したので、一見して故人が視認でき、且つ永年銘板に刻んだ文字が消えることがなく、地震等の災害で墓地が崩壊したり或いは数年後の分骨や区画整理などで墓地を移動させる際にも、故人の判別が容易に出来る。又、故人の残した業績等を子孫に伝えることが出来る。更には骨壷そのままより位牌状等に形成した銘板により祭祀の意思が表現できる等の効果がある。
【図面の簡単な説明】
【図１】本発明による銘板の表面斜視図
【符号の説明】
１  銘板
２  台板
３  骨壷
４  固定部材
５  剥離紙
６  戒名欄
７  俗名欄
８  命日欄
９  享年欄
【図１】
2004226466.tif 000003
(57)【要約】【課題】研修において、外部から派遣される講師の用意する資料や研修会場で作成される資料が紙のため、容易に複製が可能であり、外部講師のノウハウや経験が流出するという課題がある。【解決手段】本発明によれば、全ての研修資料をコンピュータと通信回線上で処理することにより導入費用をかけずに簡便な装置で、且つ、人手をかけずに効率的に研修データの複製を防止し、研修終了後もインターネット通信回線を通じて、研修を継続し管理することができるという効果がある。【特許請求の範囲】
【請求項１】
少なくとも教育研修用に使用する資料と、履修経過情報を通信ネットワーク上やデータ媒体で保持・管理・実行することを特徴とする、教育研修用のコンピューターシステム。
【発明の詳細な説明】
【０００１】
【産業上の利用分野】本発明は、教育研修プログラムを実施するためのデータベースシステムと、その保持する情報を通信ネットワークで配布回収するコンピューターシステムに関するものである。
【０００２】
【従来の技術】教育研修を請け負う企業が教育研修会等のイベントを運営する場合、講師が教育研修会場においては研修生に研修プログラムを配布し回収したり、研修の結果を適宜発表させる運営を行うことが必要である。従来は、教育研修会場等における資料配布や記入回収、発表用資料の作成は、紙とペンにより行うことが一般的である。
【０００３】
【発明が解決しようとする課題】しかし、このような方式では人手や費用がかかって非効率的であったり、研修は行えるものの、一旦配布した紙の資料はコピーなどの複製物を作るのが容易であり、外部から派遣される講師の経験やノウハウが記載された資料が外部に流出してしまうという問題がある。また、教育研修会場ではなく、事業所における通常業務の最中に研修を並行して実施することも不可能である。
そこで、本発明は、導入費用をかけずに簡便な装置で、且つ、人手をかけずに効率的に、複製が不可能な状態で教育研修活動を実施することを目的とする。
【０００４】
【課題を解決するための手段】少なくとも、各種研修用資料を通信回線上のコンピューターに記憶させ、印刷やコピーや複製あるいは改ざんを防ぐ処理を施し、電子データ化するとともに、これを通信ネットワークやデータ媒体で配布することにより、上記課題を解決した。
【０００５】
【作用】上記のように教育研修用の資料が格納された、いわゆるサーバーと呼ばれるコンピュータ装置があり、それに接続されることを前提とした、教育研修を受講する受講生が使用する、いわゆるクライアント端末と呼ばれるコンピュータ装置がある。
【０００６】
研修を担当する講師は、必要な資料を紙で配布するのではなく、サーバーからコピー制限や印刷制限を施した電子フォーマットの形式でクライアント端末に配信し、講師と受講生はコンピュータ装置を介して研修を行う。
【０００７】
研修活動の結果として、研修生が制作する資料も同様にクライアント端末からサーバーに送信し蓄積され、履修経過情報を形成する。
【０００８】
サーバーとクライアント端末を接続する通信ネットワークは、インターネット・無線ＬＡＮ・有線ＬＡＮが利用できる。教育研修プログラムのデータベース部を記録しているサーバーは教育研修会場に持ち込まれ、会場に設置した受講生用クライアント端末と組み合わされて研修に使用されるが、同一のデータベース部をインターネットに接続されたインターネットサーバーに移行することにより、インターネットに接続できる通常のパソコンがあれば、サーバー記録された履修経過情報を基に、関連する研修を自宅や企業で自習することができる。
【０００９】
【発明の効果】本発明によれば、導入費用をかけずに簡便な装置で、且つ、人手をかけずに効率的に研修を実施することが可能であり、研修時に使用する資料類が全てコンピューター上で処理されるため、外部から派遣される講師の経験やノウハウが派遣先において複製される恐れがなくなる。さらにまた、研修後のデータを収集し管理することができるという効果があるため、研修実施後も職場や自宅で自習活動を行うことができるため、継続的な研修活動の実施を行う継続的研修システムに適している。
(57)【要約】【課題】明るい露光が得られるようにする。【解決手段】透明材料（例えば透明アクリル樹脂）からなる導光棒１と、この導光棒１の端面に配置される発光ダイオードなどの光源２とを備え、前記導光棒１の外面に長手方向に沿って帯状の乱反射層３を形成したものであって、前記乱反射層３は酸化チタンなどの白色顔料４と結晶石英粒子（外径２０〜２００μｍ程度が好ましい）５とを混合したものである導光棒による発光装置である。そして、白色顔料４を１００重量部に対して結晶石英粒子５を５〜４０重量部混合したものであるとよい。【選択図】  図１
2004226649.tif 000002
【特許請求の範囲】
【請求項１】
透明材料からなる導光棒と、この導光棒の端面に配置される光源とを備え、前記導光棒の外面に長手方向に沿って帯状の乱反射層を形成したものであって、前記乱反射層は白色顔料と結晶石英粒子とを混合したものである導光棒による発光装置。
【請求項２】
請求項１において、乱反射層は、白色顔料を１００重量部に対して結晶石英粒子を５〜４０重量部混合したものである導光棒による発光装置。
【発明の詳細な説明】
【０００１】
【発明の属する技術分野】
本発明は、導光棒による発光装置に関する。
【０００２】
【従来の技術】
従来、導光棒による発光装置では、導光棒の外面に長手方向に沿って酸化チタンなどの白色顔料塗装を帯状に施しており、導光棒の端面から光源の光を導入した場合、白色顔料塗装による反射層により導光棒の長手方向に沿って透明部分から露光され、帯状のアクセント光を演出していた。
【０００３】
【発明が解決しようとする課題】
しかし、白色顔料のみでは乱反射性能が不充分であり、明るい露光が得られなかった。そこで、本発明はこのような解決すべき課題を鑑み、明るい露光が得られるようにすることを目的とする。
【０００４】
【課題を解決するための手段】
本発明を要約すると、透明材料からなる導光棒と、この導光棒の端面に配置される光源とを備え、前記導光棒の外面に長手方向に沿って帯状の乱反射層を形成したものであって、前記乱反射層は白色顔料と結晶石英粒子とを混合したものである導光棒による発光装置である。また、乱反射層は、白色顔料を１００重量部に対して結晶石英粒子を５〜４０重量部混合したものであると好ましい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、透明材料（例えば透明アクリル樹脂）からなる導光棒１と、この導光棒１の端面に配置される発光ダイオードなどの光源２とを備え、前記導光棒１の外面に長手方向に沿って帯状の乱反射層３を形成したものであって、前記乱反射層３は酸化チタンなどの白色顔料４と結晶石英粒子（外径２０〜２００μｍ程度が好ましい）５とを混合したものである導光棒による発光装置である。
【０００７】
そして、白色顔料４を１００重量部に対して結晶石英粒子５を５〜４０重量部混合したものであるとよい。
【０００８】
本実施形態によれば、乱反射層３に光透過性のある結晶石英粒子５を混合しているので、白色顔料４の相対密度を低減できるとともに、内奥の白色顔料４による反射光も得られるため、乱反射性能が向上して導光棒１の透明部分からの露光強度を向上でき、明るい発光性能が得られる。
【図面の簡単な説明】
【図１】本発明の実施形態を示す斜視図
【図２】同断面図
【図３】同要部拡大断面図
【符号の説明】
１  導光棒
２  光源
３  乱反射層
４  白色顔料
５  結晶石英粒子
【図１】
2004226649.tif 000003
【図２】
2004226649.tif 000004
【図３】
2004226649.tif 000005
(57)【要約】【課題】光源の消灯時における外観を良好にするとともに略一様な露光を可能とする。【解決手段】透明材料からなる断面略円形状の導光棒１と、この導光棒１の端面に配置される光源２とを備え、前記導光棒１の外面に長手方向に沿って多数の微細凹溝３…を帯状マトリックスとして形成した。そして、前記導光棒１の中心から前記帯状マトリックスの幅を臨む中心角（θ）を前記導光棒１の長さ（Ｌ）に対して【表４】2004226624.tif 000006のとおりとした。但し、表４にない長さに対する中心角は直線補間法で補間するとよい。【選択図】  図１
2004226624.tif 000002
【特許請求の範囲】
【請求項１】
透明材料からなる断面略円形状の導光棒と、この導光棒の端面に配置される光源とを備え、前記導光棒の外面に長手方向に沿って多数の微細凹溝を帯状マトリックスとして形成したものであって、前記導光棒の中心から前記帯状マトリックスの幅を臨む中心角（θ）を前記導光棒の長さ（Ｌ）に対して
【表１】
2004226624.tif 000005
のとおりとした導光棒による発光装置。（但し、表１にない長さに対する中心角は直線補間法で補間する）
【発明の詳細な説明】
【０００１】
【発明の属する技術分野】
本発明は、導光棒による発光装置に関する。
【０００２】
【従来の技術】
従来、導光棒による発光装置では、導光棒の外面に長手方向に沿って白色塗装を帯状に施しており、導光棒の端面から光源の光を導入した場合、白色塗装からの乱反射により導光棒の長手方向に沿って透明部分から露光され、帯状のアクセント光を演出していた。
【０００３】
【発明が解決しようとする課題】
しかし、白色塗装は発光していないときにも明瞭に目視されてしまい、外観的に好ましくない。そこで、本発明はこのような解決すべき課題を鑑み、光源の消灯時における外観を良好にするとともに略一様な露光を可能とすることを目的とする。
【０００４】
【課題を解決するための手段】
本発明を要約すると、透明材料からなる断面略円形状の導光棒と、この導光棒の端面に配置される光源とを備え、前記導光棒の外面に長手方向に沿って多数の微細凹溝を帯状マトリックスとして形成したものであって、前記導光棒の中心から前記帯状マトリックスの幅を臨む中心角（θ）を前記導光棒の長さ（Ｌ）に対して
【表２】
2004226624.tif 000003
のとおりとした導光棒による発光装置である。但し、表２にない長さに対する中心角は直線補間法で補間するとよい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、透明材料（例えば透明アクリル樹脂）からなる断面略円形状の導光棒１と、この導光棒１の端面に配置される発光ダイオードなどの光源２とを備え、前記導光棒１の外面に長手方向に沿って多数の微細凹溝３…をレーザー加工などで帯状マトリックスとして形成したものである。
【０００７】
そして、前記導光棒１の中心から前記帯状マトリックスの幅を臨む中心角（θ）を前記導光棒１の長さ（Ｌ）に対して
【表３】
2004226624.tif 000004
のとおりとした導光棒による発光装置である。但し、表３にない長さに対する中心角は直線補間法で補間するとよい。なお、導光棒１の直径は少なくとも５〜１５ｍｍの範囲に対して表３が適用可能である。
【０００８】
本実施形態によれば、光源２の光は凹溝３に当ると乱反射して導光棒１の透明部分（凹溝３…のない部分）から露光する。また、光が凹溝３…のない部分で界面反射すると導光棒１の遠方に届き、その付近の凹溝３に当るとその対向透明部分付近にて露光する。そうすると、導光棒１の長いものほど帯幅すなわち、中心角（θ）を小さくしておくと遠方における露光が補償される。
【０００９】
かくして、表３のように設定すると、導光棒１の長手方向に渡って略一様な露光が可能となるとともに、光源２の消灯時に凹溝３…はあまり目視されないという良好な外観をもたらす。
【図面の簡単な説明】
【図１】本発明の実施形態を示す斜視図
【図２】同底面図
【図３】同断面図
【符号の説明】
１  導光棒
２  光源
３  微細凹溝
【図１】
2004226624.tif 000007
【図２】
2004226624.tif 000008
【図３】
2004226624.tif 000009
(57)【要約】【課題】比較的簡単かつ低コストで実現可能なフロントライト式の導光板装置を提供する。【解決手段】透明材料からなる導光板１と、この導光板１の端面に配置される光源２と、前記導光板１の背面に配置される表示板３とを備え、前記導光板１の表面に乱反射層４を付着させたものであって、前記乱反射層４は少なくとも酸化チタンなどの白色顔料と微細石英粒子（透光性）とを混合している。乱反射層４は、白色顔料を１００重量部に対して微細石英粒子を５００〜２０００重量部混合したものであると、光透過性と光乱反射性を程よく両立できて好ましい。導光板１は、透明板の一部を表示板側に凹入させ、その凹入部５の端面に光源２を配置し、前記光源２の配置されていない残りの端面を反射性６としている。【選択図】  図１
2004226680.tif 000002
【特許請求の範囲】
【請求項１】
透明材料からなる導光板と、この導光板の端面に配置される光源と、前記導光板の背面に配置される表示板とを備え、前記導光板の表面に乱反射層を付着させたものであって、前記乱反射層は少なくとも白色顔料と微細石英粒子とを混合したものである導光板装置。
【請求項２】
請求項１において、乱反射層は、白色顔料を１００重量部に対して微細石英粒子を５００〜２０００重量部混合したものである導光板装置。
【請求項３】
請求項１において、導光板は、透明板の一部を表示板側に凹入させ、その凹入部の端面に光源を配置し、前記光源の配置されていない残りの端面を反射性とした導光板装置。
【発明の詳細な説明】
【０００１】
【発明の属する技術分野】
本発明は、フロントライト式の導光板装置に関する。
【０００２】
【従来の技術】
この種の導光板装置では、透明材料からなる導光板と、この導光板の端面に配置される光源と、前記導光板の背面に配置される液晶などの表示板とを備え、前記導光板の表面に微細溝を多数散在させて光反射性を付与していた。
【０００３】
【発明が解決しようとする課題】
しかし、微細溝を形成するために非常に精密な金型仕上げが必要になるため、高度な技術を要し、コスト高になっていた。そこで、本発明はこのような解決すべき課題を鑑み、比較的簡単かつ低コストで実現可能なフロントライト式の導光板装置を提供することを目的とする。
【０００４】
【課題を解決するための手段】
本発明を要約すると、透明材料からなる導光板と、この導光板の端面に配置される光源と、前記導光板の背面に配置される表示板とを備え、前記導光板の表面に乱反射層を付着させたものであって、前記乱反射層は少なくとも白色顔料と微細石英粒子とを混合したものである導光板装置である。そして、乱反射層は、白色顔料を１００重量部に対して微細石英粒子を５００〜２０００重量部混合したものであると好ましい。また、導光板は、透明板の一部を表示板側に凹入させ、その凹入部の端面に光源を配置し、前記光源の配置されていない残りの端面を反射性とすると好ましい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、透明材料（例えば透明アクリル樹脂）からなる導光板１と、この導光板１の端面に配置される発光ダイオードなどの光源２と、前記導光板１の背面に配置される液晶表示板などの表示板３とを備え、前記導光板１の表面に乱反射層４を付着させたものであって、前記乱反射層４は少なくとも酸化チタンなどの白色顔料と微細石英粒子（透光性があり、その外径は例えば２０〜２００μｍ程度）とを混合したものである導光板装置である。
【０００７】
乱反射層４は、白色顔料を１００重量部に対して微細石英粒子を５００〜２０００重量部混合したものであると、光透過性と光乱反射性を程よく両立できて好ましい。また、導光板１は、透明板の一部を表示板３側に凹入させ、その凹入部５の端面に光源２を配置し、前記光源２の配置されていない残りの端面を反射性６としていると、周辺の不要箇所への露光を防止できる。
【０００８】
他の構成を述べると、表示板３はプリント基板７に実装され、その前面に導光板１を配置し、さらにその前面に凹入部５の前面は避けつつ、半透光性の化粧シート８を貼り付けている。
【０００９】
光源２の光は乱反射層４に当ると、下方に乱反射してから表示板３の背面（反射性）で反射して、乱反射層４のうちの微細石英粒子部分を透過して導光板１の表面に出射し、表示板３の表示画面を明るく目視できる。また、光源２の光が導光板１の背面で界面反射したり、さらに反射性６で反射してから、乱反射層４に当ると、やはり下方に乱反射してから表示板３の背面（反射性）で反射して、乱反射層４のうちの微細石英粒子部分を透過して導光板１の表面に出射し、表示板３の表示画面をやはり明るく目視できる。
【００１０】
本実施形態によれば、乱反射層４に光透過性のある微細石英粒子を混合しているので、白色顔料の相対密度を低減できて、乱反射層４内奥の白色顔料による反射光も得られるため、乱反射性能が向上する上、微細石英粒子の透明部分からの光透過も両立でき、比較的簡単に低コストで明るい表示画面が得られる。
【図面の簡単な説明】
【図１】本発明の実施形態を示す要部断面図
【符号の説明】
１  導光板
２  光源
３  表示板
４  乱反射層
５  凹入部
６  反射性
【図１】
2004226680.tif 000003
(57)【要約】【課題】のぼり旗をきれいに見せたい通行人の邪魔にならないようにしたい宣伝効果をあげたい安く立てたい転ばないようにしたい【解決手段】ハンマドリルにて地面に穴を開ける上り旗の底の部分をカットする地面にあいた穴に鉄棒を差し込む舗装時に管の埋設【選択図】    図１
2004226936.tif 000002
【特許請求の範囲】
【請求項１】
アスファルト又はコンクリート地面にハンマドリルにて穴を開け鉄棒を差し込む、のぼり旗用ポールの底をカットし鉄棒に差し込む。またはじめからポールの底の部分をなくしておくとカットの手間がなくなる。舗装の段階でも同じ、直径２．５ｃｍ長さ３０ｃｍ管を立てて地面と同じ高さに埋めるとハンマドリルによる穴あけ作業がなくポールが綺麗に立つ。
【発明の詳細な説明】
【０００１】敷地内の地面にハンマドリルにて穴を開ける、深さ３０ｃｍ穴に鉄の棒を差し込む、鉄の棒の長さ６０ｃｍ、直径１．８ｃｍから２ｃｍのぼり旗ポールの底のゴム部分をカットすることで垂直に、のぼり旗が立つ。
【発明に属する技術分野】
【０００２】地面にハンマドリル六角軸３５ｍｍ以内にて穴あけ、のぼり旗ポールの底の部分カットし鉄棒を立てる。
【従来の技術】
【０００３】特許登録２７８０７３６号公報
【発明が解決しようとする課題】
【０００４】転ばないようにする、歩く人の邪魔にならないように立てる
【課題を解決するための手段】
【０００５】地面に穴をあける、のぼり旗ポールの底をカットし中央に鉄棒を入れる
【発明の実施の形態】
【０００６】本来の長さにて旗が立ち転ばず綺麗に見え通行人の邪魔にならない
【実施例】
【０００７】通行人の邪魔にならない
【０００８】風でも転ばない
【０００９】安く立てる
【発明の効果】
【００１１】ポール立て水入れ容器よりも安く歩道が本来の役割を保てる
【図面の簡単な説明】
【図１】「のぼり旗立てポール平面図である」
【図２】「のぼり旗立てポールを立てた平面図である」
【図３】「のぼり旗立てポールを立てた断面図である」
【符号の説明】
１    のぼり旗立てポール
２    のぼり旗立てポール底面カット
３    地面に鉄棒を立てる
４    ポール下のプラスチック
【図１】
2004226936.tif 000003
【図２】
2004226936.tif 000004
【図３】
2004226936.tif 000005
(57)【要約】【課題】本考案は、迷子になったペットの場合、飼い主へすぐ連絡出来るよう、迷子札に飼い主名、ペット名、電話番号をはっきり表示出来ること。また、徘徊お年寄り及びつける必要のある本人にも安心して人に見せられる腕時計の代用になる名札である。【解決手段】上記目的を達成するために本考案に係わる迷子札及び名札は、ペット名、飼い主名、個人の連絡先を見やすく表示する板である。一字一字刻印することで、ちょっとやそっとでは消えない。安全面から問題はない。着け外しも楽なスナップボタンを使用したものである。これにより、迷子になったペット、徘徊お年寄り及びつける必要のある本人、私物紛失を発見した第三者が、迷子札及び名札を読み取り、すぐ連絡出来る手段となるものである。【選択図】  図４
2004226935.tif 000002
【特許請求の範囲】
【請求項１】
ペットの首輪及びバンドに、飼い主名、電話番号、ペット名、鑑札番号等を板に刻印した時計型迷子札
【請求項２】
徘徊お年寄り及びつける必要のある本人の腕時計代わりとして、個人名、電話番号等を板に刻印した時計型名札
【請求項３】
私物紛失防止のバンドに個人名、電話番号等を板に刻印した時計型名札
【発明の詳細な説明】
【０００１】
【発明の属する技術分野】この発明は、迷子ペット、徘徊お年寄り及びつける必要のある本人、個人の私物紛失を防ぐ迷子札及び名札のついた時計型首輪及びバンドである。
【０００２】
【従来の技術】
（１）ペットの大きさに合わせた迷子札  大型犬なら大きな迷子札を、小型犬なら小さな迷子札といった３サイズ別の迷子札及びバンドの長さが調節出来る物は存在しなかった。散歩用の首輪につける迷子札はあるが、室内用の迷子札は皆無である。
（２）徘徊お年寄り及びつける必要のある本人のために、簡単かつ安全に着用出来るような明確な迷子札は存在しなかった。
（３）個人の私物紛失を防ぐための時計型名札は存在しなかった。
【０００３】
【考案が解決しようとする課題】本考案は、迷子になったペットの場合、飼い主へすぐ連絡出来るよう、迷子札に飼い主名、ペット名、電話番号をはっきり表示出来ること。また、徘徊お年寄り及びつける必要のある本人にも安心して人に見せられる腕時計の代用になる名札である。
【０００４】
【発明を解決するための手段】
上記目的を達成するために本考案に係わる迷子札及び名札は、ペット名、飼い主名、個人の連絡先を見やすく表示する板である。一字一字刻印することで、ちょっとやそっとでは消えない。安全面から問題はない。着け外しも楽なスナップボタンを使用したものである。これにより、迷子になったペット、徘徊お年寄り及びつける必要のある本人、私物紛失を発見した第三者が、迷子札及び名札を読み取り、すぐ連絡出来る手段となるものである。
【０００５】
【発明の実施の形態】
（イ）ペット用の首輪の一部に、ペット名、飼い主名、電話番号の連絡先が打ちつけてある迷子札を装着させる。
（ロ）徘徊お年寄り及びつける必要のある本人のための腕時計がわりとして装着させる。
（ハ）迷子札及び名札の形は板の両脇に皮革等それに代用するものを差し止めるスペースがあれば、どんな形でもどんな大きさでも出来る。
（ニ）板の表面は、平面、膨らます面、へこませる面等自由自在に出来る。
（ホ）バンドの素材は皮革、合成皮、布、金属、ビニール等可能である限り限定しない。
（ヘ）バンドの打ちつけた連絡先を迷子札及び名札の裏側に打ちつけて表面から見えないようにすることも出来る。
（ト）迷子札及び名札の両脇を支える固定体は、リベット、接着剤、その他の方法でも使える素材は限定しない。
（チ）スナップは１個と限定せず、必要あれば、２個、３個もつける。また、ベルト同様の留め具も使え、限定しない。
【０００６】
【発明の効果】●以上の形態からなる本考案に係わる首輪及びバンドを、第三者が、その迷子札の身元を確認するとともすぐに連絡が出来るものである。
（１）ペットの身体につけることにより、自己の所有するペットが迷子になった場合
（２）徘徊お年寄り及びつける必要のある本人の腕につけることにより、及び本人が、行方不明になった場合
（３）個人の私物紛失の場合
●わかりやすい位置に迷子札防止首輪及びバンドをつけることができる。
●今までの迷子札と異なり、散歩用迷子札ではない。２４時間使え、取りはずしが楽に出来る時計型迷子札である。
【図面の簡単な説明】
【図１】迷子札及び名札の本体。
【図２】本考案の実施例をペットの首輪につけた状態で示す斜視図である。
【図３】本考案の実施例を徘徊お年寄り及びつける必要のある本人の腕につけた状態で示す斜視図である。
【図４】同迷子札及び名札の前方から見た外観図
【図５】同迷子札及び名札の後方から見た外観図
【図６】前面から見たスナップで留めた状態の同迷子札及び名札
【図７】前面から見たスナップで留めていない状態の同迷子札及び名札
【図８】後面から見たスナップで留めた状態の同迷子札及び名札
【図９】後面から見たスナップで留めていない状態の同迷子札及び名札
【図１０】横から見たスナップで留めていない状態の同迷子札及び名札
【図１１】分解したバンド左と本体とバンド右を表す同迷子札及び名札
【符号の説明】
１  金属板
２  皮革バンド
３  リベット
４  スナップ
５  刻印（ペット名、本人名、電話番号等）
【図１】
2004226935.tif 000003
【図２】
2004226935.tif 000004
【図３】
2004226935.tif 000005
【図４】
2004226935.tif 000006
【図５】
2004226935.tif 000007
【図６】
2004226935.tif 000008
【図７】
2004226935.tif 000009
【図８】
2004226935.tif 000010
【図９】
2004226935.tif 000011
【図１０】
2004226935.tif 000012
【図１１】
2004226935.tif 000013
(57)【要約】【課題】入室一連の作業が簡単で低コストなドアノブを提供する。【解決手段】ドアノブにインターホンスイッチを付け、ドアノブ内に内蔵されたチャイムスピーカーからチャイムが鳴るように備えた。【選択図】  図１
2004226943.tif 000002
【特許請求の範囲】
【請求項１】
ドアノブのにぎり部分にスイッチボタンをとり付け、にぎりながら押すと、内ぞうされたスピーカーからチャイムがなるという簡潔なドアノブ。
【発明の詳細な説明】
【０００１】
【発明の属する技術分野】
本発明は、事務所やトイレなどに設けられる開き戸型のドアのドアノブに関するものである。
【０００２】
【従来の技術】
ドアノブにふれるとせい電気で、かんちしてけいほう器やブザーがなった物があったが、入室を目的とし入室する時スイッチを押して内ぞうされたスピーカーからチャイムがなるものは、なかった。
【０００３】
【発明が解決しようとする課題】
入室には、ノックをして、「失礼します。」とか「入ってますか？」などの事を言わなければならないし、たとえば、ドアのまわりにインターホンを付けるとブザーやスピーカー、バッテリー等のとり付け位置をドアのまわりに付けなければならないからそれそうとうの費用がかかった。しインテリアも少しふくざつになる。
【０００４】
本発明は、このような従来の問題を解決しようとするものであり、入室の一連の作業をスピーディに行いインターホン（スピーカー．バッテリー．スイッチボタン）の部分を１つにまとめた低コストなドアノブでありシンプルなインテリアが提供出来る。
【０００５】
【課題を解決するための手段】
本発明は、インターホンスイッチをドアノブに付け、ドアノブ内にチャイムスピーカーとバッテリーを内ぞうさせた。ドアノブをにきりながらスイッチを押すとチャイムがなるというドアノブを提供することにより上記問題を解決したものである。
【０００６】
【発明の実施の形態】
本発明のホーンドアノブは、図−１に示されるようにドアノブにスイッチボタンが付けてありにぎりながら押すとチャイムがなるように電地とチャイムスピーカーが内ぞうされている。
【０００７】
【発明の効果】
以上ように、請求項の記載による発明によれば、ドアを明け入室するという一連の作業が、スピーディー簡単に感じ良く出来る。またインターホン等をとり付けない分低コストでインテリアもシンプルになった。
【図面の簡単な説明】
【図１】本発明のホーンドアノブの構成を示す断面図である。
【図１】
2004226943.tif 000003
【手続補正書】
【提出日】平成15年4月24日(2003.4.24)
【手続補正１】
【補正対象書類名】明細書
【補正対象項目名】全文
【補正方法】変更
【補正の内容】
【特許請求の範囲】
【請求項１】ドアノブのにぎり部分にスイッチボタンをとり付け、にぎりながら押すと、内蔵されたスピーカーからチャイムが鳴るという簡潔なドアノブ
【発明の詳細な説明】
【０００１】
【発明の属する技術分野】
本発明は、事務所やトイレなどに設けられる開き戸型のドアのドアノブに関するものである。
【０００２】
【従来の技術】
ドアノブにふれると静電気を、感知して警報器やブザーが鳴った物があったが、入室を目的とし入室する時スイッチを押して内蔵されたスピーカーからチャイムが鳴るものは、なかった。
【０００３】
【発明が解決しようとする課題】
入室には、ノックをして、「失礼します。」とか「入ってますか？」などの事を言わなければならないし、たとえば、ドアのまわりにインターホンを付けるとブザーやスピーカー、バッテリー等の取り付け位置をドアのまわりに付けなければならないからそれそうとうの費用がかかったし、インテリアも少し複雑になる。
【０００４】
本発明は、このような従来の問題を解決しようとするものであり、入室の一連の作業をスピーディに行いインターホン（スピーカー．バッテリー．スイッチボタン）の部分を１つにまとめた低コストなドアノブでありシンプルなインテリアが提供出来る。
【０００５】
【課題を解決するための手段】
本発明は、インターホンスイッチをドアノブに付け、ドアノブ内にチャイムスピーカーとバッテリーを内蔵させた。ドアノブを握りながらスイッチを押すとチャイムが鳴るというドアノブを提供することにより上記問題を解決したものである。
【０００６】
【発明の実施の形態】
本発明のホーンドアノブは、図−１に示されるようにドアノブにスイッチボタンが付けてあり握りながら押すとチャイムが鳴るように電池とチャイムスピーカーが内蔵されている。
【０００７】
【発明の効果】
以上ように、請求項の記載による発明によれば、ドアを開け入室するという一連の作業が、スピーディー簡単に感じ良く出来る。またインターホン等を取り付けない分低コストでインテリアもシンプルになった。
【図面の簡単な説明】
【図１】本発明のホーンドアノブの構成を示す断面図である。
(57)【要約】【課題】水を使用したい場所に簡単に蛇口を設けられる。【解決手段】ホースリール本体（１１）に、筒体（７）、筒体（８）を取り付け、その筒体（７）、（８）にスタンド（１）を挿入し、スタンド（１）の頭部に固定用ヘッド（２）をボルト（３）、ナット（４）で固定しノズル（１４）をセットする、又ホース入り（１２）の方を長くし、ホース出（１３）の方を短くする。【選択図】　図１
2004123373.tif 000002
【特許請求の範囲】
【請求項１】
ホースリール本体（１１）に筒体（７）（８）を固定し、スタンド（１）を筒体（７）の上部から筒体（８）に挿入し、スタンド（１）をセットし、スタンド（１）のヘッド（２）にノズル（１４）を固定出来るスタンド付きホースリール。
【発明の詳細な説明】
【０００１】
【発明の属する技術分野】
この発明は、水道の蛇口のない所でも、スタンド付きホースリールを使用したい所に移動する事により、水を使用出来るスタンド付きホースリールに関するものである。
【０００２】
【従来の技術】
従来のは、ホースリールを使用しない時にノズルを収納する為だけのフックであり、使用時のノズルの事は皆無であった、又本体へ入る方のホースが短く本体からの出る方のホースが長い為ノズルを蛇口から離れた所で使用する時はホースを引き摺りながら移動しなければならなかった。
【０００３】
【発明が解決しようとする課題】
これまでは、次のような欠点があった。
イ、水を使用する場所までホースを引っ張るとき、ホースリール本体が倒れることがあった。
ロ、ホースを引っ張るときに、曲がり角などにホースが引っ掛かったりした。
ハ、バケツに水を汲む時などは、ノズルを手で持っていなければなかった。
ニ、使用途中の時など、ノズルをバケツの中に入れて置いたり、足元に置いたりして、足で踏んだりした。
ホ、水を出しているときに、手を放すと水の勢いでノズルがあばれたりした。
ヘ、汚れた手を洗う時、ノズルを固定しなければならなかった。
本発明は、以上の問題を解決するために考えたものである。
【０００４】
【課題を解決するための手段】
ホースリール本体（１１）に筒体（７）（８）を固定し、スタンド（１）を筒体（７）の上部から筒体（８）に挿入し、スタンド（１）をセットし、スタンド（１）のヘッド（２）にノズル（１４）を固定出来るスタンド付きホースリール。
【０００５】
【発明の実施の形態】
以下、本発明の実施の形態を説明する。
図１
イ、ホースリール本体（１１）にスタンド（１）を挿入する為の穴（９）を設けた基盤（６）に両端を開口した円筒形状の筒体（７）と、穴（９）を設けた基盤（６）に一方を開口し他方を塞いだ円筒形状の筒体（８）をビス（１０）で固定する。
ロ、スタンド（１）を筒体（７）と筒体（８）の上から挿入する。
ハ、スタンド（１）の頭部に、ノズル（１４）をセットする為の固定用ヘッド（２）を角度調整が出来る用にボルト（３）、ナット（４）で固定する。
ニ、ホースリール本体（１１）への、ホース入り（１２）の方を長くする。
ホ、ホースリール本体（１１）からの、ホース出（１３）の方を短くする。
本発明は以上の構成からなり、使用する場合は次のようにして行う、水道の蛇口から離れた場所で水を使用したい時は、ホースリール本体（１１）を持ち運び、使用時で一時手を放す時など固定用ヘッド（２）にノズル（１４）をセットしておけば次に使用する時にも楽であり、又バケツなどに水を汲む時にも固定用ヘッド（２）にノズル（１４）をセットしたままで水を汲む事も可能である、そして高い所に、しかも角度を変えて水をかけたい時にはスタンド（１）を筒体（７）、（８）から引き抜いて手で持ち上げて使用でき更に高くしたい時は伸縮ネジ（５）をゆるめてスタンド（１）の２段目を長くしても利用出来る。
【０００６】
【発明の効果】
その結果、次の様な効果を得られる、
イ、固定用ヘッド（２）にノズル（１４）をセットすれば手放しでもバケツなどにも水を汲む事が出来る。
ロ、固定用ヘッド（２）にノズル（１４）をセットしておけば両手を使用出来て手を洗ったり、物を洗ったり出来る。
ハ，水道の蛇口から離れた場所で水を使用したい時には、ホースリール本体（１１）持って行けば、従来みたいにホースを引き摺ったり、曲がり角などでホースが引っ掛かったりしない。
ニ，高い所で角度を変えて水を使用したい時、例えばワゴン車などの屋根を洗い流す時などはホースリール本体（１１）の筒体（７）、筒体（８）からスタンド（１）を引き抜きボルト（３）ナット（４）で固定用ヘッド（２）の角度を変えて、スタンド（１）を手で持ち高く上げて使用すれば楽に洗い流す事も出来るし、更にもっと高くしたい時は伸縮ネジ（５）を緩めてスタンド（１）の上部を上げればもっと高く使用出来る。
【図面の簡単な説明】
【図　１】本発明の斜視図
【図　２】本発明の分解斜視図
【図　３】本発明の使用状態を示す斜視図
【符号の説明】
１、スタンド
２、固定用ヘッド
３、ボルト
４、ナット
５、伸縮ネジ
６、基盤
７、筒体
８、筒体
９、穴
１０、ビス
１１、ホースリール本体
１２、ホース入り
１３、ホース出
１４、ノズル
１５、蛇口
１６、バケツ
【図１】
2004123373.tif 000003
【図２】
2004123373.tif 000004
【図３】
2004123373.tif 000005
(57)【要約】　　　（修正有）【課題】テーパーボビンへの巻き取りが難しかった細幅極薄フィルム、テープの巻き取り方法を提供する。【解決手段】テーパーボビンへの巻き取り方法が、可変トラバースしている積極駆動サーフェスローラーによって行うことを特徴とする。【選択図】図１
2004123375.tif 000002
【特許請求の範囲】
【請求項１】
巻具は鍔の内壁面が外側に向けて拡開したテーパーボビンであって、そのテーパーボビンにトラバースするローラーを介して、ワークを巻取ることを特徴とする巻取方法。
【発明の詳細な説明】
【０００１】
【発明の属する技術分野】
本発明は、細幅極薄テープ、フィルム等のワークを鍔の内壁面が外側に向けて拡開したテーパーボビンに巻き取る方法に関するものである。
【０００２】
【従来の技術】
従来、細幅極薄テープ、フィルム等は鍔付ボビンに巻取られているが、巻崩れ、鍔面での内層へのワーク落ち込み等の問題があり、少量しか巻くことができない。また、テーパーボビンに伸びやすい細幅極薄テープ、フィルム等を巻き取る方法としては一般的な巻取方法でテーパーボビン自体を駆動しガイドトラバースで巻き取るボビン駆動巻取があるが、ボビン駆動だけで巻取った場合、巻取張力によってワークが伸びたり、巻締まりによって内層に皺が発生したり、巻姿に所謂骨といわれる筋状のこぶが発生したりして良い方法が存在しなかった。
また、平行な鍔をもつ鍔付きボビン、または鍔無しボビンにワークを巻き取る場合は、駆動するローラー表面にボビンを接して巻取るサーフェスローラー方式による巻取がワークにストレスがかからず良い巻結果が得られるが、この手のボビンでは、ワーク解舒しにくい欠点がある。
ワーク解舒性の良いテーパーボビンに巻き取る方法が求められていた。
延び縮みするローラーをサーフェスローラーとしてテーパーボビンに巻取ることができれば、理想的な巻取ができ、後工程で使用するにあたっても支障無く解舒できる。
【０００３】
【発明が解決しようとする課題】
しかしながら、鍔の内壁面が外側に向け拡開しているテーパーボビンに、サーフェスローラー方式の巻取を行なおうとすれば、ワークの巻上がりに従い長さが徐変するようなローラーが必要であった。そこで本発明では、ワークの巻上がりに従いローラー長さが徐変すると等価の働きをするようにローラーを鍔内幅の範囲でトラバースさせることで、課題を解決する方法を提供するものである。近年、細幅極薄フィルム、テープは精密電子機器の著しい高精度化やコンパクト化の要求、および経済的な理由から、高精度で高効率（高歩留り）の製品が強く要求されている。巻き取られた製品は、解舒し易い巻取があってはじめて使用することが可能となる。よって、本発明は、これらの問題点を解決するために発明されたものである。
【０００４】
【課題を解決するための手段】
即ち、本発明は、トラバース幅を可変出来る機構を有する積極駆動ローラーであって、テーパーボビンの鍔幅に合わせてトラバースしながら、且つボビンを駆動し巻取るため、常に鍔幅一杯の有効長を有するサーフェスローラー巻取のごとく、巻取できるものであり、テーパーボビンでは不可能であったサーフェスローラー巻取を可能にした巻取方法を提供する。
【０００５】
【発明の実施の形態】
前工程から連続して出てくるテープあるいはフィルムは、積極駆動しているローラーによって回転させられているテーパーボビンに、サーフェスローラー方式で巻き上げられていく。巻上がりに従い鍔の間隔が拡がっていくので、ローラー幅の足らない幅分だけローラーをトラバースすることで、サーフェスローラー長が常に鍔幅に合った長さとなるような機能を有する巻取方式である。
【０００６】
以下に、実施例、比較例を挙げて本発明をさらに詳細に説明するが、本発明はこれらによりなんら限定されるものではない。
また、本実施例ではローラーをトラバースする場合の説明であるが、相対的なものの見方であり、ボビンをトラバースする方法も同様な効果が得られる。
図１は巻始めの２ローラーと１テーパーボビンの関係を示し、図２に於いては巻取途中での２ローラーと１テーパーボビンの関係を示している。
巻始めでは、２ローラー幅と１テーパーボビン底部の内幅が同一なので、２ローラーはトラバースしていない。２ローラーが駆動しているので、それに接している１テーパーボビンは、３ワークを巻取る。このとき３ワークのトラバースはガイドトラバース式等も含め適宜の方式が考えられるが特にこだわらない。巻太りに従い、２ローラーを矢印方向にトラバースさせる。巻始めの状態から図２の巻取途上の状態までに、徐々にトラバース幅を増加していき、常に２ローラーがボビン鍔内幅をトラバースするようにしておく。２ローラーが固定のままで満巻まで巻くと発生する巻層の硬さのバラツキも、２ローラーがトラバースすることにより均一化される。
【０００７】
【発明の効果】
以上説明したように、本発明によれば、鍔の内壁面が外側に向けて拡開しているテーパーボビンに、今まで不可能であった極薄テープ、フィルムを巻き取りできる方法を提供できる。
【図面の簡単な説明】
【目的】テーパーボビンにワークを巻き上げる場合、ワークに瑕疵がでないような巻き取り方法を考案した。
【構成及び方法】テーパーボビンの内胴幅以下の長さを有する積極駆動のローラーが、ワーク巻き上がりに従い可変させたボビン鍔幅間トラバースを行なわせる機構をもった巻取方法。
【符号の説明】
１．テーパーボビン
２．ローラー
３．ワーク
【図１】
2004123375.tif 000003
【図２】
2004123375.tif 000004
【手続補正書】
【提出日】平成14年12月11日(2002.12.11)
【手続補正１】
【補正対象書類名】明細書
【補正対象項目名】図面の簡単な説明
【補正方法】変更
【補正の内容】
【図面の簡単な説明】
【図１】本発明に係わるテーパーボビンの巻始めの状態を示す正面図と側面図。
【図２】本発明に係わるテーパーボビンの巻取途中の状態を示す正面図と側面図。
【符号の説明】
１．テーパーボビン
２．ローラー
３．ワーク
(57)【要約】【課題】２方向分割金型で作成しうるスクリューコンベアを得る。【解決手段】回転軸１の周囲にスクリュー羽根２をらせん状に配設したスクリューコンベア１０において、中心軸線に上下分離線Ａ−Ｂを想定する。そしてスクリュー羽根にアンダーカットが生じないように、羽根頂上部２３から上下分離線Ａ−Ｂにかけて肉付部２１を形成する。それに対応して反対面２２も形成する。図から判るように肉付部２１及び反対面２２の構成は上下分離線Ａ−Ｂに対して上下に関して左右反対となる。そのためスクリュー羽根２にアンダーカットは生じないので、２方向分離金型を用いても金型を上下に分割することができる。製作に２方向金型を使用できるので金型のコストも含め製作コストを大幅に引き提げることができる。【選択図】　　図４
2004123337.tif 000002
【特許請求の範囲】
【請求項１】
中心軸の周囲にらせん状にスクリュー羽根を配設したスクリューコンベアにおいて、
中心軸線に上下分離線を想定したとき、上下分離線に対するスクリュー羽根の頂部から上下分離線にかけて、アンダーカットにならないようにスクリュー羽根に肉付部を形成したことを特徴とするスクリューコンベア。
【発明の詳細な説明】
【０００１】
【発明の属する技術分野】
この発明は２方向分割の金型で形成することのできるスクリューコンベアに関する。
【０００２】
【従来の技術】
コピー機におけるトナー搬送装置、食品製造機における材料粉の移送装置、ねじポンプなどの粉体、流体の如き流動体の搬送手段としてスクリューコンベアが広く使用されている。
【０００３】
図１は従来のスクリューコンベア２０の斜視図であって、中心軸１の周囲にスクリュー羽根２がらせん状に配設されている。このようなスクリューコンベアを金型内にプラスチックなどを注入して形成するとき、型を２方向に分割しようとしても、図から判るようにスクリューコンベアを、どの線で分離してもアンダーカットの状態となり、型を抜くことはできない。
【０００４】
そこでスクリューコンベア２０を形成するときの金型３０はスクリューコンベア２０を９０度毎に分割し、型３１、３２、３３、３４の４つの型で構成される。プラスチック等を注入し、スクリューコンベア２０の形成後、図３に示すように、４つの型を分離する。
【０００５】
このように従来のスクリューコンベアを形成する金型はスクリュー羽根のアンダーカットの関係で、２方向分割にはできず、４方向分割にせざるを得なかった。
【０００６】
【この発明が解決すべき問題点】
前記の如くらせん状のスクリュー羽根を有するスクリューコンベアの形成は、２方向分割の金型では不可能で、４方向分割の金型を使用する必要があった。しかしながら４方向分割金型は２方向分割金型と比べコストが大きくなるので、コスト競争がきびしい現在においては、アンダーカットの問題を解決して２方向分割金型が使用できるようになれば極めて有利である。
そこで２方向分割金型でもアンダーカットなしで分割しうる羽根形状を有するスクリューコンベアを得ることが必要となる。
【０００７】
【課題を解決するための手段】
この発明は前記の課題を解決するために、中心軸の周囲にらせん状にスクリュー羽根を配設したスクリューコンベアにおいて、中心軸線に上下分離線を想定したとき、上下分離線に対するスクリュー羽根の頂部から上下分離線にかけて、アンダーカットにならないようにスクリュー羽根に肉付部を形成したことを特徴とするスクリューコンベアを得たものである。
【０００８】
【実施例】
図４はこの発明のスクリューコンベア１０を示す図であって、１は中心軸、２は中心軸１のまわりにらせん状に配設されているスクリュー羽根である。この発明では中心軸線に上下分離線Ａ−Ｂを想定し、この上下分離線に対する羽根の頂点２３から上下分離線Ａ−Ｂにかけてアンダーカットにならないように肉付き部２１を形成している。それに対応した面２２に形成する。図示の例では肉付き部２１の面は上下分離線Ａ−Ｂに対して垂直としている。
【０００９】
らせん状のスクリュー羽根２の肉付部２１の形成は図示の如く上下分離線Ａ−Ｂについて上下に関して左右反対になるように行われる。それにより２方向分割金型を用いてスクリューコンベア２を成型しても金型を上下に分割することができる。
【００１０】
【発明の効果】
この発明のスクリューコンベアは前記の如き構成であって、上下方向にアンダーカットがないので２方向分割金型を用いて形成することができ金型のコストを含め製作コストの大幅な引き下げが可能になった。
【図面の簡単な説明】
【図１】従来のスクリューコンベアを示す図
【図２】４方向分割金型の閉じた構成を示す説明図
【図３】４方向分割金型を開いたところを示す説明図
【図４】この発明のスクリューコンベアを示す図
【符号の説明】
１　　回転軸
２　　スクリュー羽根
３　　ストレーナ
１０　　この発明のスクリューコンベア
２０　　従来のスクリューコンベア
２１　　肉付部
２２　　反対面
２３　　羽根の頂上部
３０　　４方向分割金型
３１　　分割金型
３２　　分割金型
３３　　分割金型
３４　　分割金型
【図１】
2004123337.tif 000003
【図２】
2004123337.tif 000004
【図３】
2004123337.tif 000005
【図４】
2004123337.tif 000006